(57)【要約】 【課題】  動画撮影を前回の撮影時と時間を空けて撮影し、前回撮影した動画と今回撮影した動画を続けて連続再生した場合に、途中で撮影構図が変わらないようにすることが可能な撮像装置、動画撮影方法、および動画撮影制御プログラムの提供。【解決手段】  動画撮影モードにおいて、スルー画像３１が表示されているときに動シャッター８を半押し操作すると前回撮影した動画の最終フレームを再生して半透過画像３７を生成し、スルー画像３６に重畳表示する。ユーザはスルー画像３６とフレーム画像３７の重なり具合を見てカメラを動かして構図を前回撮影した動画の最終フレームに一致するように調整した後、再度シャッターキー８を全押しすると前回撮影した動画の最終フレームに一致する画像３８から動画撮影が開始される。【選択図】  図３
2008017377.tif 000002
【特許請求の範囲】
【請求項１】
被写体の撮影画像を順次撮影する撮像素子と、前記撮像素子により順次撮影される撮影画像を順次表示制御する撮影画像表示制御手段と、前記撮像素子により順次撮影される撮影画像を記録媒体に動画ファイルとして記録する撮影画像記録手段と、を備えた撮像装置であって、
前記記録媒体に記録されている動画ファイルから所定の動画ファイルを選択する動画ファイル選択手段と、
前記動画ファイル選択手段により選択された動画ファイルから所定のフレーム画像を抽出するフレーム画像抽出手段と、
前記フレーム画像抽出手段により抽出されたフレーム画像を表示制御するフレーム画像表示制御手段と、を備え、
前記フレーム画像表示制御手段は、前記撮影画像表示制御手段により順次表示制御される撮影画像と対比可能なように前記抽出されたフレーム画像を継続的に表示制御することを特徴とする撮像装置。
【請求項２】
前記フレーム画像表示制御手段は、前記撮影画像表示制御手段により表示制御される撮影画像に前記抽出されたフレーム画像を重畳表示することを特徴とする請求項１に記載の撮像装置。
【請求項３】
前記フレーム画像抽出手段は、前記動画ファイル選択手段により選択された動画ファイルから最終フレームを抽出することを特徴とする請求項１または２に記載の撮像装置。
【請求項４】
前記フレーム画像抽出手段は、前記動画ファイル選択手段により選択された動画ファイルから指定されたフレームを抽出することを特徴とする請求項１または２に記載の撮像装置。
【請求項５】
前記撮影画像記録手段は、前記撮像素子により順次撮影される撮影画像の前記記録媒体への記録を所定の指示に基づいて開始することを特徴とする請求項１から４のいずれか１項に記載の撮像装置。
【請求項６】
前記撮像素子により順次撮影される撮影画像をメモリに一時記録する一時記録手段を備え、
前記一時記録手段は、前記撮像素子により順次撮影される撮影画像の一時記録を所定の指示に基づいて開始し、
前記撮影画像記録手段は、前記一時記録手段により一時記録された撮影画像を所定のタイミングで前記記録媒体に記録することを特徴とする請求項１から４のいずれか１項に記載の撮像装置。
【請求項７】
前記フレーム画像表示制御手段は、前記所定の指示に基づいて前記フレーム画像の表示を終了することを特徴とする請求項５または６に記載の撮像装置。
【請求項８】
前記撮影画像記録手段は、前記動画ファイル選択手段により選択された動画ファイル中の動画データと、前記所定の指示に基づいて記録される新たな動画データとを、１つの動画ファイルとして前記記録媒体に記録することを特徴とする請求項５から７のいずれか１項に記載の撮像装置。
【請求項９】
前記撮影画像記録手段は、前記フレーム画像抽出手段により抽出されたフレーム画像の直後に、前記新たな動画データの先頭フレーム画像が続いた動画ファイルとなるように、前記動画ファイル選択手段により選択された動画ファイルと、前記所定の指示に基づいて記録される新たな動画データとを、１つの動画ファイルにして前記記録媒体に記録することを特徴とする請求項８に記載の撮像装置。
【請求項１０】
前記フレーム画像抽出手段により抽出されたフレーム画像と前記撮像素子により順次撮影される各撮影画像とを比較するフレーム画像比較手段を備え、
前記フレーム画像比較手段は、前記所定の指示に基づいて前記比較を開始し、
前記撮影画像記録手段または前記一時記録手段は、前記撮像素子により順次撮影される撮影画像に対して、前記フレーム画像抽出手段により抽出されたフレーム画像と一致すると前記フレーム画像比較手段により判定された撮影画像から記録を開始することを特徴とする請求項５から９のいずれか１項に記載の撮像装置。
【請求項１１】
前記フレーム画像抽出手段により抽出されたフレーム画像と前記撮像素子により順次撮影される各撮影画像とを比較するフレーム画像比較手段を備え、
前記フレーム画像抽出手段により抽出されたフレーム画像と前記撮像素子により撮影される撮影画像とが一致すると前記フレーム画像比較手段により判定されたとき、その比較結果を報知する報知手段を備えたことを特徴とする請求項１から４のいずれか１項に記載の撮像装置。
【請求項１２】
前記フレーム画像比較手段による比較結果を報知する報知手段を備えたことを特徴とする請求項１０に記載の撮像装置。
【請求項１３】
前記所定の指示に基づいて記録される新たな動画データの先頭フレームと、前記動画ファイル選択手段により選択された動画ファイルの各フレーム画像とを、所定の順に従って比較するフレーム画像比較手段を備え、
前記撮影画像記録手段は、前記フレーム画像比較手段により前記新たな動画データの先頭フレームと最初に一致すると判定されたフレーム画像の直後に、前記新たな動画データの先頭フレーム画像が続いた動画ファイルとなるように、前記選択された動画ファイルと、前記新たな動画データとを、１つの動画ファイルにして前記記録媒体に記録することを特徴とする請求項８に記載の撮像装置。
【請求項１４】
前記フレーム画像比較手段は、前記動画ファイル選択手段により選択された動画ファイルの最終フレームから順に遡及して、前記所定の指示に基づいて記録される新たな動画データの先頭フレームと比較することを特徴とする請求項１３に記載の撮像装置。
【請求項１５】
前記フレーム画像抽出手段は、前記動画ファイル選択手段により選択された動画ファイルから先頭フレームを抽出することを特徴とする請求項１または２に記載の撮像装置。
【請求項１６】
被写体の撮影画像を順次撮影する撮影工程と、前記撮影工程で順次撮影される撮影画像を順次表示制御する撮影画像表示制御工程と、前記撮影工程で順次撮影される撮影画像を記録媒体に動画ファイルとして記録する撮影画像記録工程と、からなる動画撮影方法であって、
前記記録媒体に記録されている動画ファイルから所定の動画ファイルを選択する動画ファイル選択工程と、
前記動画ファイル選択工程で選択された動画ファイルから所定のフレーム画像を抽出するフレーム画像抽出工程と、
前記フレーム画像抽出工程で抽出されたフレーム画像を表示制御するフレーム画像表示制御工程と、を有し、
前記フレーム画像表示制御工程は、前記撮影画像表示制御工程で順次表示制御される撮影画像と対比可能なように前記抽出されたフレーム画像を継続的に表示制御することを特徴とする動画撮影方法。
【請求項１７】
コンピュータに、
被写体の撮影画像を順次撮影する撮影機能と、前記撮影機能により順次撮影される撮影画像を順次表示制御する撮影画像表示制御機能と、前記撮影機能により順次撮影される撮影画像を記録媒体に動画ファイルとして記録する撮影画像記録機能と、を実行させる動画撮影制御プログラムであって、
前記記録媒体に記録されている動画ファイルから所定の動画ファイルを選択する動画ファイル選択機能と、
前記動画ファイル選択機能により選択された動画ファイルから所定のフレーム画像を抽出するフレーム画像抽出機能と、
前記フレーム画像抽出機能により抽出されたフレーム画像を表示制御するフレーム画像表示制御機能と、を備え、
前記フレーム画像表示制御機能は、前記撮影画像表示制御機能により順次表示制御される撮影画像と対比可能なように前記抽出されたフレーム画像を継続的に表示制御することを特徴とする動画撮影制御プログラム。
【発明の詳細な説明】
【技術分野】
【０００１】
本発明は、同じ場所で時間を空けて撮影した場合の動画撮影補助技術に関する。
【背景技術】
【０００２】
従来、複数の動画ファイルの連続記録および連続再生を可能とする技術があった。例えば、特許文献１には、ユーザにより関連付けたいファイルが選択されたとき、その選択されたファイルに続けて新たな動画データを記録するようにし、本来複数の動画ファイルとされる動画データを一つのファイルにし、もって再生の際に連続再生可能とする技術が記載されている。
【特許文献１】特開平１１−２９７０５０号公報
【発明の開示】
【発明が解決しようとする課題】
【０００３】
しかしながら、従来の技術では前回の撮影場所と同じ場所付近を時間を空けて撮影したときに、極端に構図が変わると、前回の動画に続けて今回の動画を記録した動画ファイルを連続再生した場合に途中で構図が変わるために見づらい動画像となってしまうといった問題点があった。
【０００４】
本発明は上記課題を解決するためになされたものであり、動画撮影を前回の撮影時と時間を空けて撮影し、前回撮影した動画と今回撮影した動画を続けて連続再生した場合に、前回撮影した動画と今回撮影した動画との結合部で撮影構図が変わらないように撮影することが可能な撮像装置、動画撮影方法、および動画撮影制御プログラムの提供を目的とする。
【課題を解決するための手段】
【０００５】
上記課題を解決するために、請求項１に記載の発明の撮像装置は、被写体の撮影画像を順次撮影する撮像素子と、撮像素子により順次撮影される撮影画像を順次表示制御する撮影画像表示制御手段と、撮像素子により順次撮影される撮影画像を記録媒体に動画ファイルとして記録する撮影画像記録手段と、を備えた撮像装置であって、記録媒体に記録されている動画ファイルから所定の動画ファイルを選択する動画ファイル選択手段と、動画ファイル選択手段により選択された動画ファイルから所定のフレーム画像を抽出するフレーム画像抽出手段と、フレーム画像抽出手段により抽出されたフレーム画像を表示制御するフレーム画像表示制御手段と、を備え、フレーム画像表示制御手段は、撮影画像表示制御手段により順次表示制御される撮影画像と対比可能なように抽出されたフレーム画像を継続的に表示制御することを特徴とする。
【０００６】
また、請求項２に記載の発明は請求項１に記載の発明の撮像装置において、フレーム画像表示制御手段は、撮影画像表示制御手段により表示制御される撮影画像に抽出されたフレーム画像を重畳表示することを特徴とする。
【０００７】
また、請求項３に記載の発明は請求項１または２に記載の発明の撮像装置において、フレーム画像抽出手段は、動画ファイル選択手段により選択された動画ファイルから最終フレームを抽出することを特徴とする。
【０００８】
また、請求項４に記載の発明は請求項１または２に記載の発明の撮像装置において、フレーム画像抽出手段は、動画ファイル選択手段により選択された動画ファイルから指定されたフレームを抽出することを特徴とする。
【０００９】
また、請求項５に記載の発明は請求項１から４のいずれか１項に記載の発明の撮像装置において、撮影画像記録手段は、撮像素子により順次撮影される撮影画像の記録媒体への記録を所定の指示に基づいて開始することを特徴とする。
【００１０】
また、請求項６に記載の発明は請求項１から４のいずれか１項に記載の発明の撮像装置において、撮像素子により順次撮影される撮影画像をメモリに一時記録する一時記録手段を備え、一時記録手段は、撮像素子により順次撮影される撮影画像の一時記録を所定の指示に基づいて開始し、撮影画像記録手段は、一時記録手段により一時記録された撮影画像を所定のタイミングで記録媒体に記録することを特徴とする。
【００１１】
また、請求項７に記載の発明は請求項５または６に記載の発明の撮像装置において、フレーム画像表示制御手段は、所定の指示に基づいてフレーム画像の表示を終了することを特徴とする。
【００１２】
また、請求項８に記載の発明は請求項５から７のいずれか１項に記載の発明の撮像装置において、撮影画像記録手段は、動画ファイル選択手段により選択された動画ファイル中の動画データと、所定の指示に基づいて記録される新たな動画データとを、１つの動画ファイルとして記録媒体に記録することを特徴とする。
【００１３】
また、請求項９に記載の発明は請求項８に記載の発明の撮像装置において、撮影画像記録手段は、フレーム画像抽出手段により抽出されたフレーム画像の直後に、新たな動画データの先頭フレーム画像が続いた動画ファイルとなるように、動画ファイル選択手段により選択された動画ファイルと、所定の指示に基づいて記録される新たな動画データとを、１つの動画ファイルにして記録媒体に記録することを特徴とする。
【００１４】
また、請求項１０に記載の発明は請求項５から９のいずれか１項に記載の発明の撮像装置において、フレーム画像抽出手段により抽出されたフレーム画像と撮像素子により順次撮影される各撮影画像とを比較するフレーム画像比較手段を備え、フレーム画像比較手段は、所定の指示に基づいて比較を開始し、撮影画像記録手段または一時記録手段は、撮像素子により順次撮影される撮影画像に対して、フレーム画像抽出手段により抽出されたフレーム画像と一致するとフレーム画像比較手段により判定された撮影画像から記録を開始することを特徴とする。
【００１５】
また、請求項１１に記載の発明は請求項１から４のいずれか１項に記載の発明の撮像装置において、フレーム画像抽出手段により抽出されたフレーム画像と撮像素子により順次撮影される各撮影画像とを比較するフレーム画像比較手段を備え、フレーム画像抽出手段により抽出されたフレーム画像と撮像素子により撮影される撮影画像とが一致するとフレーム画像比較手段により判定されたとき、その比較結果を報知する報知手段を備えたことを特徴とする。
【００１６】
また、請求項１２に記載の発明は請求項１０に記載の発明の撮像装置において、フレーム画像比較手段による比較結果を報知する報知手段を備えたことを特徴とする。
【００１７】
また、請求項１３に記載の発明は請求項８に記載の発明の撮像装置において、所定の指示に基づいて記録される新たな動画データの先頭フレームと、動画ファイル選択手段により選択された動画ファイルの各フレーム画像とを、所定の順に従って比較するフレーム画像比較手段を備え、撮影画像記録手段は、フレーム画像比較手段により新たな動画データの先頭フレームと最初に一致すると判定されたフレーム画像の直後に、新たな動画データの先頭フレーム画像が続いた動画ファイルとなるように、選択された動画ファイルと新たな動画データとを、１つの動画ファイルにして記録媒体に記録することを特徴とする。
【００１８】
また、請求１４に記載の発明は請求項１３に記載の発明の撮像装置において、フレーム画像比較手段は、動画ファイル選択手段により選択された動画ファイルの最終フレームから順に遡及して、所定の指示に基づいて記録される新たな動画データの先頭フレームと比較することを特徴とする。
【００１９】
また、請求項１５に記載の発明は請求項１または２に記載の発明の撮像装置において、フレーム画像抽出手段は、動画ファイル選択手段により選択された動画ファイルから先頭フレームを抽出することを特徴とする。
【００２０】
また、請求項１６に記載の発明の動画撮影方法は、被写体の撮影画像を順次撮影する撮影工程と、撮影工程で順次撮影される撮影画像を順次表示制御する撮影画像表示制御工程と、撮影工程で順次撮影される撮影画像を記録媒体に動画ファイルとして記録する撮影画像記録工程と、からなる動画撮影方法であって、記録媒体に記録されている動画ファイルから所定の動画ファイルを選択する動画ファイル選択工程と、動画ファイル選択工程で選択された動画ファイルから所定のフレーム画像を抽出するフレーム画像抽出工程と、フレーム画像抽出工程で抽出されたフレーム画像を表示制御するフレーム画像表示制御工程と、を有し、フレーム画像表示制御工程は、撮影画像表示制御工程で順次表示制御される撮影画像と対比可能なように抽出されたフレーム画像を継続的に表示制御することを特徴とする。
【００２１】
また、請求項１７に記載の発明の動画撮影制御プログラムは、コンピュータに、被写体の撮影画像を順次撮影する撮影機能と、撮影機能により順次撮影される撮影画像を順次表示制御する撮影画像表示制御機能と、撮影機能により順次撮影される撮影画像を記録媒体に動画ファイルとして記録する撮影画像記録機能と、を実行させる動画撮影制御プログラムであって、記録媒体に記録されている動画ファイルから所定の動画ファイルを選択する動画ファイル選択機能と、動画ファイル選択機能により選択された動画ファイルから所定のフレーム画像を抽出するフレーム画像抽出機能と、フレーム画像抽出機能により抽出されたフレーム画像を表示制御するフレーム画像表示制御機能と、を備え、フレーム画像表示制御機能は、撮影画像表示制御機能により順次表示制御される撮影画像と対比可能なように抽出されたフレーム画像を継続的に表示制御することを特徴とする。
【発明の効果】
【００２２】
本発明によれば前回撮影した動画と今回撮影した動画を続けて連続再生した場合に、前回撮影した動画と今回撮影した動画との結合部で撮影構図が変わることを防止でき、視聴者に違和感を与えるようなことが生じない。
【発明を実施するための最良の形態】
【００２３】
図１は、本発明の各実施形態に共通する撮像装置および再生装置の一実施例としてのデジタルカメラの外観を示す図であり、ここでは主として正面（図１（ａ））及び背面（図１（ｂ））の外観を示す。デジタルカメラ１００は、図１（ａ）に示すように正面側に撮像レンズ（レンズ群）２を有している。また、デジタルカメラ１００の背面には図１（ｂ）に示すように、モードダイアル３、液晶モニタ画面４、カーソルキー５、ＳＥＴキー６、ズームボタン７（Ｗボタン７−１、Ｔボタン７−２）、およびメニューキー１０等のキーが設けられている。また、上面にはシャッターキー８、電源ボタン９が設けられている。なお、側部には図示されていないが、パーソナルコンピュータ（以下、パソコン）やモデム等の外部装置とＵＳＢケーブルに接続する場合に用いるＵＳＢ端子接続部が設けられている。
【００２４】
また、デジタルカメラ１００は、静止画通常撮影モード、マクロ撮影モード、連写モード、速写モード、・・、動画撮影モード、高速連写モード、・・・等の撮影モードや、静止画再生モード、動画再生モード等の再生モード、連写画像再生モード等を有している。なお、高速連写モードは例えば、１秒間に５０枚以上の画像を連続撮影する撮影モードである。
【００２５】
図２は、図１に示したデジタルカメラ１００の電気的構成の一実施例を示すブロック図であり、デジタルカメラ１００は動画撮影機能を備えており、カメラ本体１と、カメラ本体１に、撮影動作に伴い生成した静止画データや動画データのファイルを記録する着脱可能な各種の記録媒体３０を有する構成をなし、カメラ本体１にはズームレンズやフォーカスレンズを含む複数のレンズ群２からなる光学系１２、ＣＣＤ１３、ＣＤＳ回路１４、Ａ／Ｄ変換回路１５、ＤＳＰ１６、解像度変換部１８、データ圧縮・伸張部１９、画像記録部２０、画像表示部２１、ＬＣＤ（液晶表示部）２２、ＣＰＵ２３、内蔵メモリ２４、音声処理部２５、内蔵スピーカ２７、  キー入力部２８、プログラムメモリ２９、記録媒体３０、および輪郭抽出部３１を備えている。なお、光学系１２、ＣＣＤ１３、ＣＤＳ回路１４、Ａ／Ｄ変換回路１５、およびＤＳＰ１６は本発明の画像取得部１１を構成する。また、本実施形態では被写体認識手段として輪郭抽出部３１を設けるようにしたが、被写体認識手段は輪郭抽出部３１に限られず、１フレーム分の画像の特徴、特に、構図の特徴を抽出してその特徴を出力可能な手段であればよい。
【００２６】
ＣＣＤ１３は、光学系１２を介して自己の受光面に被写体の光像が結像される撮像素子であり、ベイヤ配列等の色フィルタが装着されている。ＣＣＤ１３はタイミングジェネレータ１７から送られる駆動信号により駆動され、被写体の光像を光電変換し撮像信号として出力する。ＣＣＤ１３の出力信号はＣＤＳ回路１４で相関二重サンプリングおよびゲイン調整され、Ａ／Ｄ変換回路１５でデジタル信号に変換される。Ａ／Ｄ変換された撮像信号はＤＳＰ１６に入力され、ぺデスタルクランプ等の処理が施された後、ＤＳＰ１６内の輝度・色差マトリックス回路で輝度（Ｙ）信号および色差（ＵＶ）信号に変換される。なお、ＤＳＰ１６では、ホワイトバランス（ＷＢ）、輪郭強調、画素補間などの画像の品質向上のための処理も行われる。
【００２７】
ＤＳＰ１６から出力されたＹＵＶデータは解像度変換部１８で予め設定された画像サイズに変換された後、１フレーム分のデータが順次内蔵メモリ２４（例えば、ＳＤ内蔵メモリ）に確保される画像データ記憶領域に格納される。内蔵メモリ２４に格納された１フレーム分のＹＵＶデータは画像表示部２１に送られ、そこでビデオ信号に変換された後、ＬＣＤ（液晶表示部）２２でスルー画像として表示される。
【００２８】
動画撮影時に内蔵メモリ２４に格納されたＹＵＶデータは順次データ圧縮・伸張部１９に送られ、所定の動画記録方式（例えば、Ｍｏｔｉｏｎ−ＪＰＥＧやＭＰＥＧ）のコーデックによりデータ圧縮した後にコード化され、最終的には画像記録部２０を介して動画ファイルとして記録媒体３０に記録される。なお、動画撮影のフレームレートはタイミングジェネレータ１７で生成されるタイミング信号によって決まり、コード化されるデータの圧縮率はデータ圧縮・伸張部１９内の電子化テーブル値によって決定される。
【００２９】
また、静止画撮影時に内蔵メモリ２４に格納された１フレーム分のＹＵＶデータは順次データ圧縮・伸張部１９に送られ、所定の動画記録方式（例えば、ＪＰＥＧ）によってデータ圧縮した後コード化され、内蔵メモリ２４内でファイル化された後、画像記録部２０を介して記録媒体３０に静止画データ（静止画ファイル）として記録される。
【００３０】
データ圧縮・伸張部１９は、静止画または動画の再生時には記録媒体３０から読み出された静止画や動画データを伸張し、静止画データや動画像のフレームデータとして内蔵メモリ２４に展開する。展開された画像は画像表示部２１に送られ、そこでビデオ信号に変換された後、ＬＣＤ２２により再生画像として表示される。なお、ＬＣＤ２２にはスルー画像や再生画像だけでなく、後述する表示用フレーム画像および結合先フレーム画像や、必要に応じてデジタルカメラ１００における各種の機能に関する選択や設定を行うためのメニュー画面や設定画面も表示される。
【００３１】
音声処理部２５は、動画撮影時においてカメラ本体１に内蔵されたマイク２６に入力した音声をデジタル信号に変換し、データ圧縮後にオーディオデータとして内蔵メモリ２４に送る。内蔵メモリ２４に送られたオーディオデータはフレームデータとともにストリームデータとして記録媒体３０に順次書き込まれる。また、音声処理部２５は、動画撮影時には、内蔵メモリ２４から送られたオーディオデータを復号し、アナログの音声信号に変換した後、カメラ本体１に内蔵された内蔵スピーカ２７から音声出力させる。
【００３２】
キー入力部２８は、上述したモードダイアル３、カーソルキー５、ＳＥＴキー６、ズームボタン７（Ｗボタン７−１、Ｔボタン７−２）、シャッターキー８、電源ボタン９、およびメニューキー１０と、キーが操作されると操作されたキーの操作信号を生成してＣＰＵ２３に送出するキー処理部（図示せず）等から構成されている。
【００３３】
モードダイアル３は撮影モードや再生モードの選択を行うものである。ユーザはモードダイアル３を操作して、（静止画）通常撮影モード、マクロ撮影モード、連写モード、速写モード、・・、動画撮影モード、・・・等の撮影モードや、静止画再生モード、動画再生モード等の再生モード等を選択することができる。
【００３４】
カーソルキー５はモード設定やメニュー選択等に際して液晶モニタ画面４に表示されるメニューやアイコン等をカーソルでポイント（指定）する際に操作するキーであり、カーソルキー５の操作によりカーソルを上下又は左右に移動させることができる。
【００３５】
ＳＥＴキー６はカーソルキー５によってカーソルが位置づけられている項目や画像を選択、設定若しくは確認する際に押すキーである。
【００３６】
ズームボタン７は、ズーム操作に用いられ、光学ズームの場合はズームボタン７（Ｗボタン７−１またはＴボタン７−２）の操作に対応して画角が実際に変化し、液晶モニタ画面４にはワイド（広角）画像又はテレ（望遠）画像が表示される。電子ズームの場合はズームボタン７の操作に対応して光学系１２からの画像がデジタルズーム処理により画像が拡大／縮小されて表示される。
【００３７】
シャッターキー８は、撮影時にレリーズ操作を行うもので、２段階のストロークを有しており、静止画撮影モードでは１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。また、動画撮影時にはシャッターキー８は全押しすると動画撮影を開始し、再度全押しすると動画撮影を終了する第二操作手段として用いることができる。なお、シャッターキー８以外のキーを第二操作手段として用いるようにしてもよいし、第二操作手段として専用キーを設けるようにしてもよい。
【００３８】
また、シャッターキー８は、本発明の動画撮影機能を実行する動画撮影連続モードにおいて、記録媒体３０に記録されている動画ファイル中の所定のファイルから所定のフレームを抽出して表示させるためのトリガを発する第一操作手段として用いることができる。なお、シャッターキー８以外のキーを第一操作手段として用いるようにしてもよいし、第一操作手段として専用キーを設けるようにしてもよい。
【００３９】
メニューキー１０はその時点で処理可能な選択メニューやアイコンを表示する場合に操作されるキーである。なお、プログラムでメニューキー１０に一時的に別の機能を付与することもできる。
【００４０】
輪郭抽出部３１は、一方で、記録媒体３０に記録されている動画ファイルの所定のフレーム画像から被写体の輪郭（輪郭線）および輪郭特徴を抽出し、輪郭線データおよび特徴データを出力する。また他方で、光学系１２〜ＤＳＰ１６からなる画像取得部１１を介して内蔵メモリ２４に定期的に取り込まれる１フレーム分の画像から被写体の輪郭（輪郭線）および輪郭特徴を抽出し、輪郭線データおよび特徴データを出力する。輪郭抽出部３１による輪郭線および輪郭特徴の抽出処理は公知の輪郭抽出技術を適宜利用できる。なお、輪郭抽出部３１として専用の回路を設けてもよいしシステム制御部３５で特徴抽出用プログラムを実行させるようにしてもよい。
【００４１】
上述した各ブロックはＣＰＵ（若しくはＭＰＵ（以下、ＣＰＵ））２３によって制御されており、ＣＰＵ２３が各ブロックの制御に必要とされるプログラムやデータはＥＥＰＲＯＭやフラッシュメモリ等の書き換え可能な不揮発性メモリであるプログラムメモリ２９に記憶されている。そしてＣＰＵ２３は上記プログラムおよびキー入力部２８からのキー入力信号に基づき動作することにより、本発明のフレーム画像表示制御手段、および撮影画像記録制御手段として機能する。なお、プログラムメモリ２９の定数記憶エリア２９ａにはユーザによって設定されたシステムや各機能に関する設定データも記憶されている。
【００４２】
また、ＣＰＵ２３はＤＳＰ１６からの画像データ（輝度及び色差信号）の内蔵メモリ２４へのＤＭＡ転送終了後に、この輝度及び色差信号を内蔵メモリ２４から読出し、画像表示部２１の表示用バッファメモリに書き込むよう制御する。
【００４３】
図３は、本発明に基づく動画撮影方法の概要説明図である。図３（ａ）はデジタルカメラ１００の撮影待機時に表示されるスルー表示画面である。図示の例では前回動画撮影を行なった場所で続けて撮影を行なうためにユーザが前回の終了時の構図と同じような構図を選択したときにＬＣＤ２２に表示されるスルー画像３６を示す。図３（ｂ）は、動画撮影モードにおいて、シャッター８を半押し操作するとスルー画像３６に重畳表示される前回撮影した動画の最終フレームの再生フレーム画像３７（図示の例では半透過画像）の例を示す。ユーザはスルー画像３６とフレーム画像３７の重なり具合を見てカメラを動かして構図を前回の最終フレーム画像に一致するように調整できる。図３（ｃ）はスルー画像３６にフレーム画像３７が重畳表示されているときに、ユーザが更にシャッターキー８を全押ししたときの動画撮影開始画面の例を示す。これにより、前回の撮影時と略同じ構図で今回の動画撮影を開始できるので、前回撮影した動画と今回撮影する動画を連続再生するときの前回撮影した動画と今回撮影する動画との結合部における構図上の連続性が保たれる。従って、前回の画像に続けて今回の画像を記録した画像ファイルを連続再生してもこの結合部で構図が変わるようなことがなく、スムースで見やすい。
【００４４】
図４は本発明に基づくデジタルカメラ１００のＣＰＵ２３による動画撮影制御動作例を示すフローチャートであり、デジタルカメラ１００に本発明の動画撮影機能を実現させるためのプログラムを説明するためのものである。以下に示す処理は基本的にＣＰＵ２３が予めプログラムメモリ２９に記憶されたプログラムに従って実行する例で説明するが、全ての機能をプログラムメモリに格納する必要はなく、必要に応じて、その一部若しくは全部を、例えば、ネットワークを介して受信して実現するようにしてもよい。以下、図１〜図４に基いて説明する。なお、図４の説明において、記録媒体３０には少なくとも一つの動画ファイルが記録されているものとする。また、動画ファイルは、少なくとも複数のフレーム画像（撮影画像）からなる動画データを含んで構成されている。
【００４５】
デジタルカメラ１００の電源キー９がオンのとき、ユーザがモードダイアル３を操作して動画撮影モードを選択すると、ＣＰＵ２３は画像表示部２１を制御してＬＣＤ２２に動画撮影モードを含む選択メニューを表示する。そして、ユーザが動画撮影モードを選択するとステップＳ２に進む。動画撮影モードを選択しない場合はユーザが選択した他の動画撮影処理に移行する（ステップＳ１）。
【００４６】
次に、ＣＰＵ２３は、動画連続撮影フラグの設定を含む動画撮影用の各種初期設定を行った後（ステップＳ２）、光学系１２〜ＤＳＰ１６からなる画像取得部１１を制御してその時点のズーム値に対応した焦点距離でＡＥ処理を実行させ、光学系１２を介して取り込んだ被写体光像から画像データを得ると共に自動ホワイトバランス（ＡＷＢ）処理により光源の色に対応したホワイトバランスになるように調整を施した上で、所定の周期で１フレーム分の画像データを得て内蔵メモリ２４にＤＭＡ転送し、内蔵メモリ２４に取り込んだ画像データから画素数を間引いた動画用ビデオスルー画像データで画像記録部２１の表示用バッファを書き換えてＬＣＤ２２にスルー画像を表示する（ステップＳ３）。なお、詳細は図５の説明で行うが、ステップＳ５でフレーム画像の重畳表示処理が行なわれた後は、ステップＳ７でフレーム画像の消去処理が行われるまでフレーム画像（ステップＳ６の例ではフレーム画像の半透過画像）がスルー画像に重畳表示される。
【００４７】
ＣＰＵ２３は、キー入力部２８からの信号を基に動画記録開始操作、例えば、シャッターキー８の２段目の操作（全押し状態）がなされたか否かを判定し、動画記録開始操作が行なわれた場合はステップＳ７に進む。また、動画記録開始操作が行なわれない場合はステップＳ５に進む（ステップＳ４）。
【００４８】
ステップＳ４で動画記録開始操作が行なわれない場合は、ＣＰＵ２３は、更にキー入力部２８からの信号を基にフレーム画像表示操作、例えば、シャッターキー８の１段目の操作（半押し状態）がなされたか否かを判定し、フレーム画像表示操作が行なわれた場合はステップＳ６に進む。また、フレーム画像表示操作が行なわれない場合はステップＳ３に戻る（ステップＳ５）。
【００４９】
ステップＳ５でフレーム画像表示操作が行なわれると、ＣＰＵ２３は、図５〜図７に示すようなフレーム画像表示制御を実行してステップＳ３に戻る（ステップＳ６）。詳細は図５〜図７において説明するが、フレーム画像抽出処理は、記録媒体に記録されている動画ファイルから所定の動画ファイルを選択し、当該選択した動画ファイルにおける各フレーム画像の中から所定のフレーム画像を抽出する処理である。また、フレーム画像の重畳表示処理は、フレーム画像抽出処理で抽出されたフレーム画像とスルー画像の構図を比較可能に抽出されたフレーム画像をスルー画像上に重畳表示する処理である。尚、重畳表示するフレーム画像は構図の比較が容易なように加工（例えば、半透過画像に加工）されることが望ましい。このフレーム画像の重畳表示処理により、ユーザはスルー画像とフレーム画像の構図を比較しながらカメラを移動させる等の動作により構図を略一致させることができる。また、詳細は後述するが、図８に示すようにスルー画像とフレーム画像を認識処理により比較し、略一致した場合にその旨を報知してユーザが動画撮影開始操作を行い易いように構成することもできる。
【００５０】
ステップＳ４で動画撮影開始操作が行なわれると、ＣＰＵ２３は、図９〜図１１に示すようなフレーム画像消去制御を行い（ステップＳ７）、その後、図１３〜図１９に示すような撮影画像記録制御等を実行する（ステップＳ８）。詳細は図８および図９において説明するが、フレーム画像消去処理は、ステップＳ５の重畳表示処理によりフレーム画像がスルー画像上に表示されているときに動画撮影開始操作が行なわれた場合に行うフレーム画像の消去処理である。また、図示ではステップＳ７のフレーム画像消去処理の次にステップＳ８の撮影画像記録処理を示してあるが、撮影画像記録処理はフレーム画像消去処理が完全に終わってから開始されるものに限定されるものではなく、フレーム画像消去処理と撮影画像記録処理は略平行して開始されてもよい。
【００５１】
また、詳細は図１３〜図１９に示すが撮影画像記録処理は、動画の各フレームの撮影および記録と、例えば、動画撮影終了後に行なわれる表示用フレーム画像を抽出した画像ファイルと今回撮影した動画の画像ファイル構図上の連続性を保つように結合する画像ファイル結合処理からなる。これらの撮影画像記録制御の方法は図１３〜図１９に示すように動画記録方法によって異なるが、何れにしてもこの画像ファイルの結合処理を行うことにより、前回撮影した動画と今回撮影した動画の構図上の連続性が保たれる。従って、結合した画像ファイルを連続再生しても構図が変わるようなことがなく、スムースで見やすい。
【００５２】
１．フレーム画像表示制御動作  
図５は、図４に示したフローチャートのステップＳ６の詳細フローチャートであり、ＣＰＵ２３によるフレーム画像表示制御動作の一実施例を示す。
【００５３】
図４のステップＳ５でフレーム画像表示操作（例えば、シャッターキー８の１段目の操作（半押し状態））が行なわれると、ＣＰＵ２３は、動画連続撮影フラグの値を調べ、動画連続撮影フラグがオフの場合はステップＳ６−２に進む。また、動画連続撮影フラグがオンの場合はステップＳ６−６に進む（ステップＳ６−１）。
【００５４】
ステップＳ６−１で動画連続撮影フラグがオフのとき、ＣＰＵ２３は、画像記録部２０を介して記録媒体３０の管理情報記録領域３０ａを調べ、最新の動画ファイル、つまり、記録媒体３０に記録されている動画ファイルのうち最も新しい動画ファイルにアクセスし、その動画ファイルの最終フレームデータ、すなわち、最終フレームの（圧縮）画像データを抽出する（ステップＳ６−２）。  
【００５５】
ＣＰＵ２３は、更に、データ圧縮・伸張部１９を制御してステップＳ６−２で抽出した圧縮画像データを伸張して最終フレームの画像データ（以下、表示用フレーム画像データ）を再生させて内蔵メモリ２４に記憶し（ステップＳ６−３）、ＣＰＵ２３は、再生した表示用フレーム画像データから所定比率の画素数を間引いた半透過静止画像データを生成し（ステップＳ６−４）、動画連続撮影フラグをオンに設定する（ステップＳ６−５）。
【００５６】
次に、ＣＰＵ２３は、生成した半透過画像データを画像表示部２１に送り、スルー表示画像にフレーム画像の半透過画像をＬＣＤ２２に重畳表示させ、ステップＳ３に戻る（ステップＳ６−６）。なお、図示の例ではステップＳ６−４で半透過静止画像データを生成するようにしたが半透過画像でなく、被写体の輪郭をモノトーン（単色）、例えば、黒、セピア、赤色等の線画で示す輪郭画像データを生成するようにしてもよい。また、ステップＳ６−４で生成する静止画像データはスルー画像に重畳した場合にこれらの構図の一致不一致がユーザにとってわかり易いものであればよい。
【００５７】
上記図５のフローチャートに示したフレーム画像表示制御動作により、記録媒体３０に記録されている最新の動画ファイルから最終フレームデータを抽出し、スルー表示される画像と構図を比較可能に加工したあとで、加工したフレーム画像をスルー表示される画像に重畳表示するので、ステップＳ５でフレーム画像の重畳表示処理が行なわれた後は、ステップＳ７でフレーム画像の消去処理が行われるまでフレーム画像の半透過画像が順次スルー画像に重畳表示される。これにより、これらの構図の一致不一致がわかり易いことから、ユーザはカメラを動かしてスルー画像の構図を簡単にフレーム画像と一致させることができる。
【００５８】
＜変形例１＞  
図５のフローチャートに示したフレーム画像表示制御動作では、記録媒体３０に記録されている最新の動画ファイルから最終フレームの画像データを抽出するように構成したが、記憶媒体３０に記録されている最新の動画ファイルが常に今回連続させて撮影したい動画ファイルとは限らない。そこで、記録媒体３０に記録されている各動画ファイルの最終フレーム画像を表示して所望の動画ファイルを選択するように構成することもできる。
【００５９】
図６は、図５に示したフレーム画像表示制御動作の変形例を示すフローチャートであり、図５に示したフローチャートのステップＳ６−２を下記ステップＳ６−２−１からステップＳ６−２−４で置き換え、記録媒体３０に記録されている各動画ファイルの最終フレームデータをサムネイル表示して所望の動画ファイルを選択するように構成した例である。
【００６０】
図５のステップＳ６−１で動画連続撮影フラグがオフのとき、ＣＰＵ２３は、画像記録部２０を介して記録媒体３０の管理情報記録領域３０ａを調べ、記録媒体３０に記録されている各動画ファイルにアクセスし、それぞれ動画ファイルの最終フレームデータ、すなわち、各動画ファイルの最終フレームデータ（圧縮画像データ）をそれぞれ抽出し（ステップＳ６−２−１）、データ圧縮・伸張部１９を制御して読み出した各圧縮画像データを順次伸張してから画素数を間引いてそれぞれのサムネイル画像データを生成する（ステップＳ６−２−２）。そして、生成したサムネイル画像データを画像表示部２１に送ってＬＣＤ２２に選択可能に一覧表示させ、ユーザに選択を促す（ステップＳ６−２−３）。
【００６１】
ＣＰＵ２３は、キー入力部２８からの信号を調べ、サムネイル画像が選択された場合は画像記録部２０を制御して選択されたサムネイル画像に対応する画像ファイルにアクセスし、その最終フレームの圧縮画像データを抽出し、図５のステップＳ６−３に進む（ステップＳ６−２−４）。
【００６２】
上記図６に示したように構成すると、複数の動画ファイルが記録媒体３０に記録されているような場合に、今回連続させて撮影したい動画ファイルを簡単に選択することができる。なお、図６に示した例では記録媒体３０に記録されている各動画ファイルの最終フレーム画像のサムネイル画像を一覧表示して所望の動画ファイルを選択するようにしたが、各動画ファイルの最終フレーム画像をユーザによる操作（例えば、カーソルキー５によるスクロール表示指示操作）により１フレームずつ再生して表示し、ユーザが選択できるように構成してもよい。
【００６３】
＜変形例２＞  
図５および図６のフローチャートに示したフレーム画像表示制御動作では、記録媒体３０に記録されている動画ファイルから最終フレームの画像データを抽出するように構成したが、最終フレームの画像データに限らず最終フレームに近いコマから所望のフレームを選び、選択されたフレーム画像を表示用フレーム画像として抽出するように構成できる。
【００６４】
図７は、図５および図６に示したフレーム画像表示制御動作の変形例を示すフローチャートであり、図５のフローチャートのステップＳ６−３または図６のステップＳ６−２−４を下記ステップＳ６−３−１〜Ｓ６−３−５で置き換えて記録媒体３０に記録されている動画ファイルの任意のフレーム画像を表示用フレーム画像として抽出可能に構成した例である。
【００６５】
図５のステップＳ６−２または図６のステップＳ６−２−４で該当する動画ファイルの最終フレームの圧縮画像データを抽出した後、ＣＰＵ２３は、データ圧縮・伸張部１９を制御して抽出した圧縮画像データを伸張して最終フレームのフレーム画像データを再生させる。（ステップＳ６−３−１）。
【００６６】
次に、ＣＰＵ２３は、再生したフレーム画像データを画像表示部２１に送ってＬＣＤ２２に表示させ、更にメッセージ、例えば、「前回撮影したこの画像に続けて撮影を開始しますか？」を表示してユーザの選択を促す（ステップＳ６−３−２）。また、ＣＰＵ２３は、キー入力部２８からの信号を調べ、選択確認操作（例えば、ＳＥＴキー６の押し下げ操作）があると図５のステップＳ６−４に進む。また、遡及表示操作（例えば、カーソルキー５の左（＜）操作）があるとステップＳ６−３−４に進む（ステップＳ６−３−３）。
【００６７】
ステップＳ６−３−３でユーザによる遡及表示操作があると、ＣＰＵ２３は、当該動画ファイルに対して当該動画ファイルの最終フレームから順に遡及して画像データ（圧縮画像データ）を１フレーム分読み出す（ステップＳ６−３−４）。そして、データ圧縮・伸張部１９を制御して読み出した圧縮画像データを順次伸張してフレーム画像データを再生し、ステップＳ６−３−２に戻る（ステップＳ６−３−５）。
【００６８】
このように構成することにより、例えば図３（ａ）に示すように、現在表示されているスルー画像中には、固定構造物（つり橋）のみが写されているが、選択した動画ファイルから抽出した最終フレーム画像中には固定構造物に加え、図３（ｂ）に示すような船３８が写っているような場合に、最終フレームに近いデータから固定構造物（つり橋）のみが入っているフレームを選択することができる。つまり、ユーザは、できるだけ前回の構図と現在の構図を一致させるように試みることができるとともに、選択した動画ファイルから抽出するフレーム画像を最終フレーム画像から必要以上に遡及させてしまうことを防止でき、後述する画像ファイルの結合の際に、選択した動画ファイルが必要以上に消失されてしまうことを防止できる。
【００６９】
＜変形例３＞  
図５〜図７のフローチャートに示したフレーム画像表示制御動作では、ユーザは重畳表示されるフレーム画像とスルー画像を見て、互いの構図の一致不一致をユーザ自ら判断する必要があるが、画像認識処理によりフレーム画像とスルー画像（正確には内蔵メモリ２４に一時記憶されているスルー画像の元画像）の構図の一致不一致を判定して一致した場合にメッセージを出力してユーザに知らせるように構成することもできる。
【００７０】
図８は、図５に示したフレーム画像表示制御動作の変形例を示すフローチャートであり、図５のフローチャートのステップＳ６−６の後に下記ステップＳ６−７〜Ｓ６−１１を追加することで、抽出したフレーム画像とスルー画像（の元画像）の輪郭線を比較して一致した場合に報知するように構成した例である。
【００７１】
図５のステップＳ６−６で表示用フレーム画像（半透過画像）をスルー画像に重畳表示した後、ＣＰＵ２３は、動画連続撮影フラグの値を調べ、動画連続撮影フラグがオフの場合はステップＳ６−８に進む。また、動画連続撮影フラグがオンの場合はステップＳ６−９に進む（ステップＳ６−７）。
【００７２】
ステップＳ６−７で動画連続撮影フラグがオフのとき、ＣＰＵ２３は、輪郭抽出部３１を制御して、ステップＳ６−３で再生し、内蔵メモリ２４に記憶した再生フレーム画像データの輪郭を抽出させる（ステップＳ６−８）。
【００７３】
また、ＣＰＵ２３は、輪郭抽出部３１を制御して、光学系１２〜ＤＳＰ１６からなる画像取得部１１を介して内蔵メモリ２４に定期的に取り込まれる１フレーム分の画像データの輪郭を抽出させ（ステップＳ６−９）、ステップＳ６−８で抽出した再生フレーム画像データの輪郭とステップＳ６−９で抽出した１フレーム分の画像データの輪郭を比較し、それら輪郭が一致した場合はステップＳ６−１１に進み、一致しない場合はステップＳ３に戻る（ステップＳ１０）。
【００７４】
ステップＳ１０の比較の結果輪郭が一致したとき、ＣＰＵ２３は、報知メッセージデータ、例えば、「構図が一致しています。シャッターキーを全押しすると動画撮影を開始します」を画像表示部２１に送ってＬＣＤ２２に表示されている画像に重畳表示させ、構図一致の旨をユーザに知らせてステップＳ３に戻る（ステップＳ１１）。なお、このステップで、報知メッセージデータを音声処理部２５に送ってスピーカ２７から音声出力するようにしてもよい。また、メッセージ出力に代えて、ランプを点滅表示させたり、ＬＣＤ２２を点滅させるようにしてもよい。
【００７５】
２．フレーム画像消去制御動作  
図９は、図４に示したフローチャートのステップＳ７のみを抽出したフローチャートであり、ＣＰＵ２３によるフレーム画像消去制御動作の一実施例を示す。
【００７６】
図４のステップＳ４で、例えばシャッターキー８の全押しによる動画記録開始操作が行なわれると、ＣＰＵ２３は、画像表示部２１を制御してＬＣＤ２２に重畳表示されているフレーム画像（半透過画像）を消去させ（ステップＳ７）、ステップＳ８に進む。
【００７７】
＜変形例４＞  
上記図９ではユーザが動画記録開始操作を行なうと、ステップＳ７で直ちにＬＣＤ２２に重畳表示されているフレーム画像（半透過画像）を消去し、ステップＳ８の動画（撮影）記録処理に進むので、ユーザは前回の最終画面から撮影開始直後の構図への遷移のタイミングをＬＣＤ２２で認識し難い。そこで、動画記録開始操作が行なわれても所定時間フレーム画像を残し、所定時間経過後にフレーム画像を消去することが望ましい。
【００７８】
図１０は、図９に示したフレーム画像の消去制御動作の変形例を示すフローチャートであり、図９のフローチャートのステップＳ７を下記ステップＳ７−１〜Ｓ７−３で置き換えて動画記録開始操作が行なわれたとき、所定時間経過後にフレーム画像を消去するように構成した例である。なお、この例では、図４のステップＳ２の初期設定時にフレーム画像消去タイマーに所定の時間が設定されているものとする。
【００７９】
図４のステップＳ４で、例えばシャッターキー８の全押しによる動画記録開始操作が行なわれると、ＣＰＵ２３は、フレーム画像消去タイマーの所定の値からのカウントダウンを開始し（ステップＳ７−１）、フレーム画像消去タイマーの値が０になると（ステップＳ７−２）、画像表示部２１を制御してＬＣＤ２２に重畳表示されているフレーム画像（半透過画像）を消去させ（ステップＳ７−３）、ステップＳ８に進む。
【００８０】
このように構成することにより、ユーザは前回の最終画面から撮影開始直後の構図への遷移のタイミングをＬＣＤ２２で認識し易いので、被写体の状況に応じて構図の固定若しくは変更がし易い。
【００８１】
＜変形例５＞  
上記図１０では表示されているフレーム画像を所定時間経過するまで残し、所定時間経過後に表示されているフレーム画像を消去したが、フレーム画像を時間経過とともに徐々に消去していくようにしてもよい。
【００８２】
図１１は、図９に示したフレーム画像の消去制御動作の変形例を示すフローチャートであり、図９のフローチャートのステップＳ７を下記ステップＴ１〜Ｔ８で置き換えて動画記録開始操作が行なわれたとき、所定時間経過までに徐々にフレーム画像を薄くしていき、所定時間を経過すると消去するように構成した例である。なお、この例では、図４のステップＳ２でフレーム画像消去タイマーおよび時間間隔タイマーにそれぞれ所定の時間Ｔｏ、ｔｏが設定されているものとする。また、Ｔｏ＞ｔｏとして設定されているものとする。
【００８３】
図４のステップＳ４で、例えばシャッターキー８の全押しによる動画記録開始操作が行なわれると、ＣＰＵ２３は、フレーム画像消去タイマーと時間間隔タイマーのカウントダウンを開始する（ステップＴ１）。そして、時間間隔タイマーの値を調べ、時間間隔タイマーの値が０になると（ステップＴ２）、フレーム画像消去タイマーの経過時間ＴＸ、つまり、ｎ・ｔｏ（ｎ＝１，２，・・・）とフレーム画像消去タイマーの初期設定時間Ｔｏとの比率Ｒを算出し（ステップＴ３）、重畳表示しているフレーム画像からステップＴ３で算出した比率Ｒ分だけ画素を間引いたフレーム画像を生成し（ステップＴ４）、時間間隔タイマーに所定時ｔｏを再設定する（ステップＴ５）。なお、ステップＴ２で求める比率Ｒは、フレーム画像消去タイマーの経過時間ＴＸ＝フレーム画像消去タイマーの初期設定時間Ｔｏ−フレーム画像消去タイマーの値ＴＺであるから、Ｒ＝（Ｔｏ−ＴＺ）／Ｔｏとして算出できる。  
【００８４】
次に、ＣＰＵ２３は、ステップＴ４で生成された画像データを画像表示部２１に送り、スルー表示される画像にＬＣＤ２２上で重畳表示させる（ステップＳＴ６）。
【００８５】
また、ＣＰＵ２３は、フレーム画像消去タイマーの値を調べ、フレーム画像消去タイマーの値が０になるまでの間はステップＳ７−３に戻り、フレーム画像消去タイマーの値が０になると（ステップＴ７）、画像表示部２１を制御してＬＣＤ２２に重畳表示されているフレーム画像（半透過画像）を消去させ、ステップＳ８に進む（ステップＴ８）。
【００８６】
このように構成することにより、所定時間間隔毎にフレーム画像が薄く表示され、やがては消去される。ユーザは前回の最終画面から撮影開始直後の構図への遷移のタイミングをこのフレーム画像が徐々に薄くなる様子によって認識し易くなる。なお、変形例５ではフレーム画像を徐々に薄く表示するようにしたが、画面の一方から徐々にフレーム画像を消去していくように構成してもよい。
【００８７】
＜変形例６＞  
（初期値設定画面）
上記各実施例の説明では、図４のステップＳ２でデジタルカメラ１００は自動的に種々の初期値を設定するものとしたが、例えば、図１２に示すように撮影待機時に所定の初期値をユーザが設定するように構成することもできる。
【００８８】
図１２は図４のステップＳ５（撮影待機時）においてユーザが設定可能な初期値の設定画面のいくつかの実施例を示す図である。図１２（ａ）はフレーム画像表示時に最新動画の最終フレームをフレーム画像として抽出するか否かの選択画面であり、図４のフローチャートのステップＳ３でスルー画像表示時にフレーム画像表示操作を行うと表示される。
【００８９】
図１２（ａ）で「する」を選択した場合は、最新動画の最終フレームをフレーム画像として抽出して半透過画像を生成してスルー画像に重畳表示し、また、「しない」を選択すると図示しない新たなメッセージを表示して、図６または図７に示したようなユーザによる画像ファイル選択および抽出フレーム選択等のフレーム画像表示方法を選択することができる。
【００９０】
また、図１２（ｂ）〜図１２（ｄ）はフレーム画像消去方法の選択画面の例であり、ユーザは撮影待機時（スルー画像表示時）に例えばカーソルキー５の操作によりフレーム画像消去タイマーやフレーム画像消去方法を選択することができる。
【００９１】
図１２（ｂ）の例では、フレーム画像消去タイマーを設定することができ、動画撮影開始操作（例えばシャッターキー８の全押し操作）後に設定時間が経過するとフレーム表示画像が消去される。
【００９２】
図１２（ｃ）の例では［除々］を選択すると図１１のフローチャートに示したように動画撮影開始操作後にフレーム表示画像の段階的消去を行い、［直ぐ］を選択すると図９のフローチャートに示したように、動画撮影開始操作が行われると直ちにフレーム表示画像が消去される。
【００９３】
また、図１２（ｄ）の例では［ＭＥＮＵ］を選択するとフレーム表示画像消去方法選択メニューが表示される。ユーザがメニューの一つを選んで［ＳＥＴ］を選択すると選択したフレーム表示画像消去方法が設定され、動画撮影開始操作が行われると選択されたフレーム表示画像消去方法が実行される。
【００９４】
３．撮影画像記録制御動作（その１）  
図１３は、図４に示したフローチャートのステップＳ８の詳細フローチャートであり、画像記録方式を、撮影した動画データを記録媒体３０に直接書き込む方式（以下、直接書き込み方式）とした場合のＣＰＵ２３による撮影画像記録制御動作の一実施例を示す。
【００９５】
図４のステップＳ４で動画撮影開始操作（例えば、シャッターキー８の２段目の操作（全押し状態））が行なわれると、ＣＰＵ２３は、画像取得部１１を制御してそのときの画像品質に応じて設定されているフレームレート（例えば３０ｆｐｓ）による被写体画像の画像データ（以下、動画データ）を内蔵メモリ２４に取り込み（ステップＳ８−１）、データ圧縮・伸張部１９に設定されている圧縮率でのエンコードを行わせ（ステップＳ８−２）、エンコード後の画像データを直接記録媒体３０に書き込む（ステップＳ８−３）。
【００９６】
ＣＰＵ２３は、キー入力部２８からの信号を調べ、例えば、シャッターキー８の全押しによる動画撮影終了操作が行なわれた場合はステップＳ８−５に進み、動画撮影終了操作が行なわれない場合はステップＳ８−１に戻る（ステップＳ８−４）。ステップＳ８−１〜Ｓ８−４の動作により、動画撮影終了操作が行なわれるまでフレームごとの動画データが記録媒体３０に逐次記録される。
【００９７】
ステップＳ８−４で動画撮影終了操作が行なわれたとき、ＣＰＵ２３は、この時点で記録媒体３０に記録した１フレーム分の動画データ（つまり、今回撮影した動画（最新動画）の最終フレーム画像）を画像表示部２１に送ってスルー画像上に、所定の時間だけ静止フレーム画像として重畳表示させておく（ステップＳ８−５）。このステップＳ８−５は必須ではないが、最新動画の最終フレーム画像を静止フレーム画像として重畳表示させておくことにより、一旦動画撮影を終了した後に、短時間内に続けて動画撮影を開始したいような場合には、上述してきたようなフレーム画像の重畳表示の設定を行うことなく、ユーザは新たに続けて撮影する動画の先頭フレーム画像を前回撮影した動画の最終フレーム画像と同一の構図となるように構図を調整しやすくなる。
【００９８】
そして、ＣＰＵ２３は、図４のステップＳ６で表示用のフレーム画像の抽出を行った動画ファイルと今回撮影した新たな動画データが連続した一つの画像ファイルになるように画像ファイル結合処理を行う。つまり、この時点で記録媒体３０に記録されている新たな動画データを、表示用レーム画像抽出を行った動画ファイルの当該抽出されたフレーム画像に続けてその先頭フレームから順次追加記録する（ステップＳ８−６）。
【００９９】
そして追加記録が終わると、ＣＰＵ２３は、表示用フレーム画像を抽出した動画ファイルのヘッダー情報を更新する（ステップＳ８−７）。
【０１００】
上記図１３のフローチャートに示した動作により、デジタルカメラ１００は前回撮影した動画ファイルの所定のフレーム画像に、当該フレーム画像とその先頭フレームの構図が同じ動画を続けて記録できるので、前回撮影した動画と今回撮影した動画の構図上の連続性が保たれる。従って、この画像ファイルを連続再生しても前回撮影した動画と今回撮影した動画との結合部で構図が変わるようなことがなく、スムースで見やすい。
【０１０１】
＜変形例８＞  
上記図１３に示したフローチャートでは、ステップＳ８−６で撮影した動画データを表示用フレーム画像を抽出した動画ファイルに追記記録するようにしたが、図１４に示すように、図１３に示したフローチャートのステップＳ８−６、Ｓ８−７を下記ステップＵ１〜ステップＵ３で置き換えた構成にしてもよい。即ち、今回撮影した動画データのみから一旦動画ファイルを生成し、表示用フレーム画像を抽出した動画ファイルと今回撮影した動画データからなる動画ファイルとを結合して新たな動画ファイルを生成するように構成してもよい。以下図１４を基に説明する。
【０１０２】
ステップＳ８−４で動画撮影終了操作が行なわれると、ＣＰＵ２３は、この時点で記録媒体３０に記録されている複数フレーム分の動画データにヘッダー情報を付加する等所定の処理を行うことにより今回撮影の動画ファイルを生成する（ステップＵ１）。
【０１０３】
次に、ＣＰＵ２３は、図４のステップＳ６でフレーム画像抽出を行った動画ファイルとステップＵ１で生成した今回撮影した動画ファイルが一連の動画ファイルになるように画像ファイル結合処理を行う。このとき、フレーム画像抽出を行った動画ファイルの当該抽出されたフレーム画像に続けて今回生成した動画ファイルが追加記録された結合動画ファイルを生成する（ステップＵ２）。
【０１０４】
そして、ＣＰＵ２３は、生成した動画ファイルのヘッダー情報を付加する等の所定の処理を行なう（ステップＵ３）。
【０１０５】
尚、結合に用いた２つの動画ファイル（表示用フレーム画像を抽出した動画ファイルと今回撮影した動画データからなる動画ファイル）は消去する構成としてもよいが、これらは消去されることなく記録媒体３０に記録される構成としてもよい。そして、このときには、例えば、記録媒体３０に記録済みの他の動画ファイルと今回撮影した動画データの一部を他の動画ファイルに結合してさらに新たな動画ファイルを生成したり、今回撮影した動画データからから抽出したフレーム画像を他の動画ファイルの途中に追加した動画ファイルを生成する等の動画ファイルの編集が可能となる。
【０１０６】
＜変形例９＞  
また、図１３のフローチャートに示した撮影画像記録制御動作では、動画撮影終了操作を検出してから表示用フレーム画像を抽出した動画ファイルに今回撮影し記録媒体３０に記録した動画データを追加記録するようにしたが、図１５に示すように、図４のフローチャートのステップＳ８を下記ステップＶ１〜Ｖ５で置き換えて動画撮影時に表示用フレーム画像を抽出した動画ファイルに今回撮影した動画データを追加記録するように構成してもよい。以下、図４、および図１５を基に説明する。
【０１０７】
図４のステップＳ４で動画撮影開始操作が行なわれると、ＣＰＵ２３は、画像取得部１１を制御してそのときの画像品質に応じて設定されているフレームレート（例えば３０ｆｐｓ）による被写体画像の画像データを内蔵メモリ２４に取り込み（ステップＶ１）、データ圧縮・伸張部１９に設定されている圧縮率でのエンコードを行わせ（ステップＶ２）、エンコード後の画像データを記録媒体３０に記録されている画像ファイルのうち表示用フレーム画像を抽出した動画ファイルに追加記録する（ステップＶ３）。
【０１０８】
ＣＰＵ２３は、キー入力部２８からの信号を調べ、例えば、シャッターキー８の全押しによる動画撮影終了操作が行なわれた場合はステップＶ５に進み、動画撮影終了操作が行なわれない場合はステップＶ１に戻る（ステップＶ４）。ステップＶ１〜Ｖ４の動作により、動画撮影終了操作が行なわれるまでフレーム毎の動画データが表示用フレーム画像を抽出した動画ファイルに追加記録される。
【０１０９】
ステップＶ４で動画撮影終了操作が行なわれたとき、ＣＰＵ２３は、表示用フレーム画像を抽出した動画ファイルのヘッダー情報を更新する（ステップＶ５）。尚、この時点で記録媒体３０に記録した最終フレーム画像（つまり、今回撮影した動画ファイルの最終フレーム画像）を画像表示部２１に送ってスルー画像上に静止フレーム画像として所定時間だけ重畳表示させてもよい。
【０１１０】
＜変形例１０＞  
また、図１６に示すように、図１３のステップＳ８−５を下記ステップＳ８−５−１〜Ｓ８−５−７で置き換えることにより、表示用フレーム画像を抽出した画像ファイルのうちユーザが指定（選択）したフレームに続けて今回撮影した動画データを追加記録するように構成してもよい。以下、図１３、図１４、および図１６に基づいて説明する。
【０１１１】
図１３のステップＳ８−４で動画撮影終了操作が行なわれたとき、ＣＰＵ２３は、今回撮影する動画の結合先のフレーム画像を選択するか否かを問うメッセージ、例えば、「前回撮影した画像のうち、今回連続させたい画像を選択しますか？：「選択する→ＳＥＴキー」、「選択しない→メニューキー」をＬＣＤ２２に表示した後、キー入力部２８からの信号を調べ、ユーザが「選択する」を選んだ場合はステップＳ８−２に進み、「選択しない」を選んだ場合は図１３のステップＳ８−６（または図１４のステップＵ１）に進む（ステップＳ８−５−１）。
【０１１２】
フレーム画像の選択を行うときは、ＣＰＵ２３は、画像記録部２０を制御して表示用フレーム画像を抽出した動画ファイルから最終フレームの画像データを読み出させる（ステップＳ８−５−２）。
【０１１３】
そして、データ圧縮・伸張部１９に読み出した画像データの伸張処理を行わせてフレーム画像データを再生し（ステップＳ８−５−３）、再生した結合先画像データを画像表示部２１に送って結合先フレーム画像を表示させ、ユーザの選択を促す（ステップＳ８−５−４）。
【０１１４】
次に、ＣＰＵ２３は、キー入力部２８からの信号を調べ、ユーザが表示されている画像の選択操作（例えば、ＳＥＴキー６の押し下げ）を行った場合はステップＳ８−５−６に進み、画像の変更操作（例えば、カーソルキー５の遡及（＜）、戻し（＞）操作によるスクロール操作）を行った場合は図１３のステップＳ８−６（または図１４のステップＵ１）に進む（ステップＳ８−５−５）。尚、この時点で記録媒体３０に記録した最終フレーム画像（つまり、今回撮影した動画ファイルの最終フレーム画像）を画像表示部２１に送ってスルー画像上に静止フレーム画像として所定時間だけ重畳表示させてもよい。
【０１１５】
ステップＳ８−５−５で画像の変更操作が行なわれたときは、ＣＰＵ２３は、画像記録部２０を制御して表示用フレーム画像を抽出した動画ファイルから変更操作に対応したフレーム（コマ）の画像データを読み出させ、ステップＳ８−５−３に戻る（ステップＳ８−５−６）。例えば、カーソルキー５でスクロール操作が行なわれた場合は、遡及（＜）または戻し（＞）方向への押し下げ回数または押し下げ時間に応じてフレーム（コマ）を遡及若しくは戻すようにして対応するフレームの画像データを読み出させるようにする。
【０１１６】
上記構成により、前回撮影した動画のうちユーザが選択（指定）した画像に続けて今回撮影した動画を結合できる。このように、ユーザが選択（指定）した画像に続けて今回撮影した動画を接続できるので、本発明は、動画撮影時の画像結合だけでなく、撮影済みの動画ファイルを編集して新たな動画ファイルを作成する場合にも用いることができる。
【０１１７】
＜変形例１１＞  
図１６に示した動画撮影制御動作では、表示用フレーム画像を抽出した動画ファイルのうちユーザが選択したフレームの動画データに今回撮影した動画データを続けて記録するようにしたが、図１７に示すように、図１３または図１４に示したフローチャートのステップＳ８−５を下記ステップＷ１〜Ｗ６で置き換え表示用フレーム画像を抽出した動画ファイルの最終フレームから順に当該動画ファイルのフレーム画像を遡及抽出するとともに、画像認識処理により、今回撮影した動画の先頭フレーム画像とこれら抽出したフレーム画像とを順次比較して、一致したフレーム画像に続けて今回撮影した動画データを記録するように構成してもよい。以下、図１３、図１４、および図１７に基づいて説明する。
【０１１８】
図１３のステップＳ８−４で動画撮影終了操作が行なわれたとき、ＣＰＵ２３は、輪郭抽出部３１を制御して今回撮影した動画の先頭フレームの画像データから被写体の輪郭特徴の抽出を行わせる（ステップＷ１）。
【０１１９】
また、ＣＰＵ２３は、輪郭抽出部３１を制御して表示用フレーム画像を抽出した動画ファイルの最終フレームの動画データを読み出して被写体の輪郭特徴の抽出を行わせる（ステップＷ２）。
【０１２０】
次に、ＣＰＵ２３は、ステップＷ１で抽出したフレーム画像の輪郭特徴とステップＷ２で抽出したフレーム画像の輪郭特徴を比較し、特徴が一致したときはステップＷ６に進み、一致しないときはステップＷ４に進む（ステップＷ３）。
【０１２１】
ステップＷ３での特徴比較の結果、特徴が一致しないときは、ＣＰＵ２３は、画像記録部２０を制御して表示用フレーム画像を抽出した動画ファイルの最終フレーム画像から順に遡及して１フレーム分の動画データを読み出させる（ステップＷ４）。そして、輪郭抽出部３１を制御して、読み出した１フレーム分の動画データにおける被写体の輪郭の特徴の抽出を行わせ、ステップＷ３に戻る（ステップＷ５）。
【０１２２】
ステップＷ３での特徴比較の結果、特徴が一致したときは、ＣＰＵ２３は、表示用フレーム画像を抽出した動画ファイルの動画データのうち特徴が一致した動画データを結合先フレームの動画データとして選択し、図１３のステップＷ６（または図１４のステップＵ１）に進む（ステップＷ６）。尚、この時点で記録媒体３０に記録した最終フレーム画像（つまり、今回撮影した動画ファイルの最終フレーム画像）を画像表示部２１に送ってスルー画像上に静止フレーム画像として所定時間だけ重畳表示させてもよい。また、このステップＷ６の前段（つまり、ステップＷ３からステップＷ６の経路の間）に、特徴が一致した旨をユーザに報知するステップとユーザの指示操作によりステップＷ６に進むステップを設けるようにしてもよい。具体例として、報知メッセージデータ、例えば、「構図が一致ました。シャッターキーを全押しすると動画結合を開始します」を画像表示部２１に送ってＬＣＤ２２に表示されている画像に重畳表示させ、構図一致の旨をユーザに知らせることができる。また、報知メッセージデータを音声処理部２５に送ってスピーカ２７から音声出力するようにしてもよい。また、メッセージ出力に代えて、ランプを点滅表示させたり、ＬＣＤ２２を点滅させるようにしてもよい。
【０１２３】
上記構成により、前回撮影した動画の最終フレームに限定されずに自動的に前回撮影した動画ファイルのフレーム画像のうち、今回撮影した動画の先頭フレーム画像と輪郭特徴が一致するフレーム画像を結合できるので、前回撮影した動画と今回撮影した動画が連続性を保つように前回撮影した動画に今回撮影した動画を自動的に結合することができる。
【０１２４】
＜変形例１２＞  
上記図１７に示した動画撮影制御動作では、表示用フレーム画像を抽出した動画ファイルの最終フレーム画像から順に遡及させた１フレーム分の画像と今回撮影した画像の先頭フレーム画像と順次比較して、一致した画像に続けて今回撮影した動画データを記録するようにしたが、図１８に示すように、図１３に示したフローチャートのステップＳ８−５を下記ステップＸ１〜ステップＸ６で置き換えることにより、画像認識処理により、表示用フレーム画像を抽出した動画ファイルから今回撮影した画像の先頭フレーム画像に類似した画像を動画ファイルの最終フレーム画像から順に遡及していくつか抽出して選択し、選択した画像に続けて今回撮影した動画データを記録するようにしてもよい。以下、図１３および図１８に基づいて説明する。
【０１２５】
ステップＳ８−４で動画撮影終了操作が行なわれたとき、ＣＰＵ２３は、輪郭抽出部３１を制御して今回撮影した動画の先頭のフレーム画像から被写体の輪郭特徴の抽出を行わせる（ステップＸ１）。
【０１２６】
また、ＣＰＵ２３は、輪郭抽出部３１を制御して表示用フレーム画像を抽出した動画ファイルの最終フレームの動画データを読み出して被写体の輪郭特徴の抽出を行わせる（ステップＸ２）。
【０１２７】
次に、ＣＰＵ２３は、ステップＸ１で抽出したフレーム画像の輪郭特徴とステップＸ２で抽出したフレーム画像の輪郭特徴を比較し、ステップＸ１で抽出したフレーム画像の輪郭特徴に特徴がステップＸ２で抽出したフレーム画像の輪郭特徴と一致または類似しているときはステップＸ６に進み、一致または類似していないときはステップＸ４に進む（ステップＸ３）。ここで、特徴の一致または類似とは、２つの画像の輪郭特徴Ｂ、Ｃの差が所定の閾値以下である場合であり、例えば、２つの画像の輪郭特徴Ｂ、Ｃをいくつかの要素ｂ１、ｂ２、・・、ｂｎ、ｃ１、ｃ２、・・ｃｎに分けて数値化し、その自乗の合計Σｂｉ、Σｃｉの差が所定の閾値Ｄ以下か否かで判定できる。
【０１２８】
ステップＸ３での特徴比較の結果、特徴が一致または類似しないときは、ＣＰＵ２３は、画像記録部２０を制御して表示用フレーム画像を抽出した動画ファイルからに遡及させて１フレーム分の動画を読み出させ（ステップＸ４）、更に輪郭抽出部３１を制御して被写体の輪郭特徴の抽出を行わせて、ステップＸ３に戻る（ステップＸ５）。
【０１２９】
ステップＸ３での特徴比較の結果、特徴が一致または類似したときは、ＣＰＵ２３は、ＣＰＵ２３は、表示用フレーム画像を抽出した動画ファイルの動画データのうち特徴が一致または類似した動画データを結合先フレームの動画データとして選択し、図１３のステップ８−６に進む（ステップＸ６）。尚、この時点で記録媒体３０に記録した最終フレーム画像（つまり、今回撮影した動画ファイルの最終フレーム画像）を画像表示部２１に送ってスルー画像上に静止フレーム画像として所定時間だけ重畳表示させてもよい。
【０１３０】
また、このステップＸ６の次に、特徴が類似した旨をユーザに報知するステップとユーザの指示操作により図１３のステップ８−６に進むか、最終フレームに次に近いフレームを表示するステップに進むステップと、ユーザの指示操作により最終フレームに次に近いフレームを表示するステップを設けるようにしてもよい。具体例として、報知メッセージデータ、例えば、「類似している構図を表示します。シャッターキーを全押しすると動画結合を開始します。また、メニューキーを押すと次の構図を表示します」を画像表示部２１に送ってＬＣＤ２２に表示されている画像に重畳表示させ、構図類似の旨をユーザに知らせることができる。また、報知メッセージデータを音声処理部２５に送ってスピーカ２７から音声出力するようにしてもよい。
【０１３１】
上記構成により、自動的に前回撮影した動画と今回撮影した動画の先頭フレーム画像の輪郭特徴が一致若しくは類似する画像のうち、最終フレーム画像に最も近いフレーム画像を結合先フレーム画像として前回撮影した動画と連続性を保つように今回撮影した動画を自動的に結合することができるので、前回撮影した動画の最終フレーム画像と今回撮影した動画の先頭フレーム画像の類似性が低いような場合に、最終フレームに近くてより類似したフレーム画像を結合先フレーム画像として自動的に選ぶことができる。なお、図示しないが、類似したフレーム画像が複数（所定数以下とする）ある場合に、それらを縮小して一覧表示し、ユーザに選択させるようにしてもよい。このように構成すると、構図の変化を最小にして動画を編集することもできる。
【０１３２】
また、上記各実施例は、撮影した動画データを、例えば内蔵メモリ２４のようなバッファメモリに循環的に記録しておき、バッファメモリが一杯になるとバッファメモリに記録された画像データを録媒体３０に書き込む方式（以下、逐次記録方式）にも適用できる。
【０１３３】
４．撮影画像記録制御動作（その２）  
図１９は、図４に示したフローチャートのステップＳ８の詳細フローチャートであり、画像記録方式を、撮影した動画データを、一旦、例えば内蔵メモリ２４のようなバッファメモリに記録しておき、動画撮影終了操作を検出したときにバッファメモリに記録された画像データを録媒体３０に書き込んで動画データを生成する方式（以下、一括記録方式）とした場合のＣＰＵ２３による撮影画像記録制御動作の一実施例を示す。なお、以下の説明では内蔵メモリ２４には長時間の動画像を記録するための十分なメモリ容量があるものとする。
【０１３４】
図４のステップＳ４で動画撮影開始操作が行なわれると、ＣＰＵ２３は、画像取得部１１を制御してそのときの画像品質に応じて設定されているフレームレート（例えば３０ｆｐｓ）による被写体画像の画像データ（以下、動画データ）を内蔵メモリ２４に取り込み（ステップＹ１）、データ圧縮・伸張部１９に設定されている圧縮率でのエンコードを行わせ（ステップＹ２）、エンコード後の画像データを内蔵メモリ２４に確保されている動画記憶領域に書き込む（ステップＹ３）。
【０１３５】
ＣＰＵ２３は、キー入力部２８からの信号を調べ、例えば、シャッターキー８の全押しによる動画撮影終了操作が行なわれた場合はステップＹ５に進み、動画撮影終了操作が行なわれない場合はステップＹ１に戻る（ステップＹ４）。ステップＹ１〜Ｙ４の動作により、動画撮影終了操作が行なわれるまでフレームごとの動画データが内蔵メモリ２４に逐次記憶される。なお、尚、動画撮影終了操作が行なわれると、記録媒体３０に記録した最終フレーム画像（つまり、今回撮影した動画ファイルの最終フレーム画像）を画像表示部２１に送ってスルー画像上に静止フレーム画像として所定時間だけ重畳表示させてもよい。
【０１３６】
ステップＹ４で動画撮影終了操作が行なわれた場合は、ＣＰＵ２３は、画像記録部２０を制御して、図４のステップＳ６で表示用フレーム画像の抽出を行った動画ファイルと今回撮影した動画データが連続した一つの画像ファイルになるようにこの時点で内蔵メモリ２４に記録されている複数フレームの動画データを先頭フレームの動画データから記録媒体３０に記録されている結合先フレーム画像に続けて追加記録する（ステップＹ５）。
【０１３７】
そして追加記録が終わると、ＣＰＵ２３は、と表示用フレーム画像を抽出した動画ファイルのヘッダー情報を更新して動画撮影処理を終了する（ステップＹ６）。
【０１３８】
上記図１９の動作により、デジタルカメラ１００は、図１３に示した直接記録方式の場合と同様に、前回撮影した動画ファイルのフレーム画像と構図が同じ画像をその動画ファイルに続けて記録できるので、前回撮影した動画と今回撮影した動画の構図上の連続性が保たれる。
【０１３９】
また、上述した変形例１０〜変形例１２（図１６〜図１７参照）の動画結合処理は、各ステップの説明で、「（記録媒体３０に記録されている）今回撮影した動画」を「（内蔵メモリ２４に記憶されている）今回撮影した動画」とすることにより、図１９で述べた一括記録方式の場合にも適用できる。
【０１４０】
上記各実施例の説明では、前回撮影した動画と時間を空けて撮影した今回の動画の構図を違和感なく連続的に接続する例について説明したが、本発明は、記録媒体３０に記録されている各動画ファイルを再生して所望のフレーム画像同士を接続したり置換して、複数の画像ファイル若しくは同一の画像ファイルのフレーム画像のシーンを編集する際にも適用可能である。
【０１４１】
なお、ＣＰＵ２３は、記録媒体３０に記録されている動画ファイルから所定の動画ファイルを選択して、当該動画ファイルの先頭フレームをスルー画像上に重畳表示させる構成としてもよい。そして、このときには、新たに記録される動画データと、選択された動画ファイルとの結合は留保される構成することが好ましい。このような構成とすることにより、先頭フレーム画像を同様なフレーム画像とした２種類の動画ファイルを生成することが可能となり、例えば、手本となる各種スポーツのフォームと、その後のフォーム動作の違いなどを比較することが可能となる。
【０１４２】
以上、本発明のいくつかの実施例について説明したが本発明は上記各実施例に限定されるものではなく、種々の変形実施が可能であることはいうまでもない。例えば、再生装置という用語は、専用の画像再生装置だけでなく、デジタルカメラ等の電子カメラのほかやカメラ付き携帯電話機や録画再生機能を有する情報機器、映像機器などにも適用し得るものである。また、本発明は動画撮影モードだけでなく高速連写モードにも適用できる。
【図面の簡単な説明】
【０１４３】
【図１】本発明の各実施形態に共通する撮像装置および再生装置の一実施例としてのデジタルカメラの外観を示す図である。
【図２】図１に示したデジタルカメラの電気的構成の一実施例を示すブロック図である。
【図３】本発明に基づく動画撮影方法の概要説明図である。
【図４】本発明に基づくデジタルカメラの動画撮影制御動作例を示すフローチャートである。
【図５】フレーム画像表示制御動作の一実施例を示すフローチャートである。
【図６】フレーム画像表示制御動作の変形例を示すフローチャートである。
【図７】フレーム画像表示制御動作の変形例を示すフローチャートである。
【図８】フレーム画像表示制御動作の変形例を示すフローチャートである。
【図９】表示されているフレーム画像の消去制御動作の一実施例を示すフローチャートである。
【図１０】表示されているフレーム画像の消去制御動作の変形例を示すフローチャートである。
【図１１】表示されているフレーム画像の消去制御動作の変形例を示すフローチャートである。
【図１２】撮影待機時にユーザが設定可能な初期値の設定画面の一実施例を示す図である。
【図１３】直接記録方式による撮影画像記録制御動作の一実施例を示すフローチャートである。
【図１４】撮影画像記録制御動作の変形例を示すフローチャートである。
【図１５】撮影画像記録制御動作の変形例を示すフローチャートである。
【図１６】撮影画像記録制御動作の変形例を示すフローチャートである。
【図１７】撮影画像記録制御動作の変形例を示すフローチャートである。
【図１８】撮影画像記録制御動作の変形例を示すフローチャートである。
【図１９】一括記録方式による撮影画像記録制御動作の一実施例を示すフローチャートである。
【符号の説明】
【０１４４】
５  カーソルキー  
８  シャッターキー  
１１  画像取得部  
１３  ＣＣＤ  
１９  データ圧縮・伸張部  
２０  画像記録部  
２１  画像表示部  
２２  ＬＣＤ  
２３  ＣＰＵ  
２８  キー入力部  
３０  記録媒体  
３１  輪郭抽出部  
１００  デジタルカメラ
【図１】
2008017377.tif 000003
【図２】
2008017377.tif 000004
【図３】
2008017377.tif 000005
【図４】
2008017377.tif 000006
【図５】
2008017377.tif 000007
【図６】
2008017377.tif 000008
【図７】
2008017377.tif 000009
【図８】
2008017377.tif 000010
【図９】
2008017377.tif 000011
【図１０】
2008017377.tif 000012
【図１１】
2008017377.tif 000013
【図１２】
2008017377.tif 000014
【図１３】
2008017377.tif 000015
【図１４】
2008017377.tif 000016
【図１５】
2008017377.tif 000017
【図１６】
2008017377.tif 000018
【図１７】
2008017377.tif 000019
【図１８】
2008017377.tif 000020
【図１９】
2008017377.tif 000021